(57)【要約】【課題】表示片本体２に複数本の切り目５、６を形成するだけの単純な構成で安価に製造可能で、簡単な操作で植木その他の園芸品に容易に取り付け可能であるとともに、取扱いに便利である園芸品用表示片を提供すること。【解決手段】帯状の表示片本体２の長さ方向における適切な位置に互いに離れた上スリットおよび下スリット（第１の切り目５および第２の切り目６）を形成することに着目し、帯状の表示片本体２における取付け領域部３に、表示片本体２のその幅方向における一方の縁部２Ａから他方の縁部２Ｂに向かって第１の切り目５を形成し、表示片本体２の他方の縁部２Ｂから一方の縁部２Ａに向かって第２の切り目６を形成し、第２の切り目６と第１の切り目５を係合させることにより、表示片本体２を園芸品に取り付け可能な取付け輪部を形成することができるようにしたことを特徴とする。【選択図】図１
2008070524.tif 000002
【特許請求の範囲】
【請求項１】
園芸品に取り付けて、この園芸品に関する必要な情報を表示するための園芸品用表示片であって、
帯状の表示片本体を有し、
この表示片本体は、前記園芸品に取り付け可能な取付け領域部と、この取付け領域部に一体的に連続しているとともに前記情報を表示可能な表示領域部と、を有し、
前記取付け領域部には、
前記表示片本体のその幅方向における一方の縁部から他方の縁部に向かって第１の切り目を形成し、かつ、
この第１の切り目から前記表示片本体の長さ方向に離れた位置において前記表示片本体の前記他方の縁部から前記一方の縁部に向かって第２の切り目を形成し、
この第２の切り目と前記第１の切り目を係合させることにより、前記表示片本体を前記園芸品に取り付け可能な取付け輪部を形成することができるようにしたことを特徴とする園芸品用表示片。
【請求項２】
前記第１の切り目および前記第２の切り目の切り目終端部には、弧状の切欠き部を形成したことを特徴とする請求項１記載の園芸品用表示片。
【請求項３】
前記第１の切り目および前記第２の切り目の前記表示片本体の前記縁部からわずかに内方に位置した部位に不連続部を形成したことを特徴とする請求項１記載の園芸品用表示片。
【請求項４】
前記第１の切り目および前記第２の切り目は、その少なくともいずれか一方を前記表示片本体の長さ方向において所定間隔で互いに離れているような複数本に形成することを特徴とする請求項１記載の園芸品用表示片。
【請求項５】
前記第１の切り目および前記第２の切り目は、前記表示片本体の前記縁部から直角方向にこれを形成したことを特徴とする請求項１記載の園芸品用表示片。
【請求項６】
前記第１の切り目および前記第２の切り目は、前記表示片本体の前記縁部から斜め方向にこれを形成したことを特徴とする請求項１記載の園芸品用表示片。
【請求項７】
前記第１の切り目および前記第２の切り目は、前記表示片本体の幅方向においてその幅の半分の長さにこれを形成したことを特徴とする請求項１記載の園芸品用表示片。
【請求項８】
前記第１の切り目および前記第２の切り目は、前記表示片本体の幅方向においてその幅の合計が前記表示片本体の幅の長さとなるようにこれを形成したことを特徴とする請求項１記載の園芸品用表示片。
【請求項９】
前記第１の切り目および前記第２の切り目は、前記表示片本体の幅方向においてその幅より短い長さにわたってこれを形成したことを特徴とする請求項１記載の園芸品用表示片。
【請求項１０】
前記表示片本体における異なる二ヶ所を貼り付けることにより前記第１の切り目および前記第２の切り目の係合状態を維持可能な粘着剤層を前記表示片本体に形成したことを特徴とする請求項１記載の園芸品用表示片。
【発明の詳細な説明】
【技術分野】
【０００１】
本発明は園芸品用表示片にかかるもので、とくに植木、草花その他の園芸品に取り付け可能な園芸品用表示片に関するものである。
【背景技術】
【０００２】
従来の園芸品表示片は、各種の構造のものがあり、たとえば特許文献１のように、その表示片本体の裏面全面に粘着剤層を形成したものがある。
しかしながら、このような構成は、粘着剤層が表示片本体の裏面全面に設けられているために、この粘着剤層に仮着する剥離紙が裏面全面に必要であり、また、その取扱い作業の最中に意図しない部分に誤って粘着剤層が貼り付くことがあるなど、取扱いに不都合がある場合があるという問題がある。
【０００３】
もちろん、粘着剤層を裏面全面に形成するとともに、表示片本体ないしその剥離紙に各種のスリットやミシン目を形成するために構造が複雑化し、コストアップになるという問題もある。
【０００４】
【特許文献１】特開平１１−１７４９６３号公報
【発明の開示】
【発明が解決しようとする課題】
【０００５】
本発明は以上のような諸問題にかんがみなされたもので、単純な構成で安価に製造可能な園芸品用表示片を提供することを課題とする。
【０００６】
また本発明は、単純でわかりやすい構成であり、簡単な操作で植木その他の園芸品に容易に取り付け可能である園芸品用表示片を提供することを課題とする。
【０００７】
また本発明は、表示片本体に複数本の切り目を形成するだけの構成で粘着剤層を必要とせず、あるいは必要最小限の部分に粘着剤層を形成すればよく、取扱いに便利であるとともにコストの低下を図ることができる園芸品用表示片を提供することを課題とする。
【０００８】
また本発明は、植木その他の園芸品の取付け部位に応じて任意の大きさの取付け輪部を形成可能な園芸品用表示片を提供することを課題とする。
【０００９】
また本発明は、表示片本体に切り目を形成していながら、容易に破断しにくく、耐久性を維持可能な園芸品用表示片を提供することを課題とする。
【課題を解決するための手段】
【００１０】
すなわち本発明は、帯状の表示片本体の長さ方向における適切な位置に互いに離れた上スリットおよび下スリット（第１の切り目および第２の切り目）を形成すること、この上スリットおよび下スリットを互いに係合させることにより、その間の表示片本体により取付け輪部を形成することに着目したもので、園芸品に取り付けて、この園芸品に関する必要な情報を表示するための園芸品用表示片であって、帯状の表示片本体を有し、この表示片本体は、上記園芸品に取り付け可能な取付け領域部と、この取付け領域部に一体的に連続しているとともに上記情報を表示可能な表示領域部と、を有し、上記取付け領域部には、上記表示片本体のその幅方向における一方の縁部から他方の縁部に向かって第１の切り目を形成し、かつ、この第１の切り目から上記表示片本体の長さ方向に離れた位置において上記表示片本体の上記他方の縁部から上記一方の縁部に向かって第２の切り目を形成し、この第２の切り目と上記第１の切り目を係合させることにより、上記表示片本体を上記園芸品に取り付け可能な取付け輪部を形成することができるようにしたことを特徴とする園芸品用表示片である。
【００１１】
上記第１の切り目および上記第２の切り目の切り目終端部には、弧状の切欠き部を形成することにより、それぞれの切り目の切り目終端部に応力が集中して切り目の部分から裂けてしまうことを回避可能である。
【００１２】
上記第１の切り目および上記第２の切り目の上記表示片本体の上記縁部からわずかに内方に位置した部位に不連続部を形成することにより、園芸品への取付け前の状態であっても、第１の切り目および第２の切り目が完全に形成されないようにすることができる。
【００１３】
上記第１の切り目および上記第２の切り目は、その少なくともいずれか一方を上記表示片本体の長さ方向において所定間隔で互いに離れているような複数本に形成することにより、上記取付け輪部の円周長さ（直径）を調節することができる。
【００１４】
上記第１の切り目および上記第２の切り目は、上記表示片本体の上記縁部から直角方向にこれを形成することができる。
【００１５】
上記第１の切り目および上記第２の切り目は、上記表示片本体の上記縁部から斜め方向にこれを形成することができる。
【００１６】
上記第１の切り目および上記第２の切り目は、上記表示片本体の幅方向においてその幅の半分の長さにこれを形成することにより、互いの強度を均等にすることができる。
【００１７】
上記第１の切り目および上記第２の切り目は、上記表示片本体の幅方向においてその幅の合計が上記表示片本体の幅の長さとなるようにこれを形成することにより、上記取付け輪部が形成されたときの全体の幅を同一にすることができる。
【００１８】
上記第１の切り目および上記第２の切り目は、上記表示片本体の幅方向においてその幅より短い長さにわたってこれを形成することができる。
【００１９】
上記表示片本体における異なる二ヶ所を貼り付けることにより上記第１の切り目および上記第２の切り目の係合状態を維持可能な粘着剤層を上記表示片本体に形成することにより、上記取付け輪部を確実に形成維持することができる。
【発明の効果】
【００２０】
本発明による園芸品用表示片においては、帯状の表示片本体における取付け領域部に、表示片本体の一方の縁部から他方の縁部に向かって第１の切り目（たとえば下スリット）を形成し、かつ、この第１の切り目から表示片本体の長さ方向に離れた位置において他方の縁部から一方の縁部に向かって第２の切り目（たとえば上スリット）を形成し、この第２の切り目と第１の切り目を係合させることにより、表示片本体を園芸品に取り付け可能な取付け輪部を形成することができるようにしたので、単純な構成とすることができるとともに、切り目どおしの組み合わせ操作のみにより、簡単に取付け作業を行うことができる。
もちろん、切り目どおしが外れるような万一の場合に備えて、取付け輪部以外の部分に粘着剤層を設けておき、表示片本体のたとえば自由端部を表示片本体の他の部位に貼り付けることによって、その取付け状態を確実にすることができる。
【発明を実施するための最良の形態】
【００２１】
本発明は、第１の切り目と第２の切り目との組み合わせ構成により取付け輪部を形成可能としたので、構成を単純化し、簡単な取付け操作を可能とするとともに、コストを低減させることができる園芸品用表示片を実現した。
【実施例】
【００２２】
つぎに本発明の第１の実施例による園芸品用表示片１を図１ないし図６にもとづき説明する。
図１は、園芸品用表示片１の平面図、図２は、図１のＩＩ−ＩＩ線断面図、図３は、図１のＩＩＩ−ＩＩＩ線断面図、図４は、図１のＩＶ−ＩＶ線断面図である。
園芸品用表示片１は、所定の幅および長さを有する帯状（細長矩形状）の表示片本体２を有し、この表示片本体２は、園芸品に取り付け可能な取付け領域部３と、この取付け領域部３に一体的に連続しているとともにこの園芸品に関する必要な情報を表示可能な表示領域部４と、を有する。
【００２３】
表示片本体２は、任意の材料によりこれを単層状態で構成可能であるが、好ましくは、手書きあるいはプリンターにより印字が可能で、耐久性および耐水性に優れたフィルム系の合成樹脂材などを使用することができる。
図示の例では、表示片本体２の左側を取付け領域部３とし、右側を表示領域部４としたものを示しており、表示領域部４には、園芸品の名称や価格その他必要な情報をバーコードその他により表示している。
【００２４】
取付け領域部３においては、表示片本体２のその幅方向における一方の縁部２Ａ（下側の縁部）から他方の縁部２Ｂ（上側の縁部）に向かって第１の切り目５（下スリット）を形成し、かつ、この第１の切り目５から表示片本体２の長さ方向に所定の間隔Ｄだけ離れた位置において表示片本体２の他方の縁部２Ｂから一方の縁部２Ａに向かって第２の切り目６（上スリット）を形成している。
第２の切り目６は、これを表示片本体２の長さ方向において所定間隔で互いに離れているような複数本（たとえば、三本）に形成する。
もちろん、第１の切り目５を複数本とするか、あるいはともに複数本とするかは任意である。
【００２５】
第１の切り目５および第２の切り目６は、表示片本体２の縁部２Ａ、２Ｂから内方に向かって直角方向にこれを形成しており、表示片本体２の幅方向においてその幅より短い長さにわたってこれを形成するもので、表示片本体２の幅方向においてその幅の合計が表示片本体２の幅Ｗの長さとなるようにこれを形成した。
好ましい図示の例では、第１の切り目５および第２の切り目６は、表示片本体２の幅方向において同じ長さすなわち、その幅Ｗの半分の長さＷ／２にこれを形成している。
もちろん、第１の切り目５および第２の切り目６の長さの合計が表示片本体２の幅Ｗになれば、それぞれの長さの割合は任意である。
【００２６】
第１の切り目５および第２の切り目６の表示片本体２の縁部２Ａ、２Ｂからわずかに内方に位置した部位に切り目開始部５Ａ、６Ａ（最外部）に続く不連続部７（点留め部）を形成している。不連続部７は、容易に破断可能なもろい、ただし、意図して破断しようとしない限り通常は自然には破断しないものである。
この不連続部７を残して第１の切り目５および第２の切り目を形成してあることにより、使用時以外に第１の切り目５および第２の切り目６全体が連続して園芸品用表示片１の取扱いに支障が生じないようにしている。
【００２７】
さらに、第１の切り目５および第２の切り目６の切り目終端部（最奥部）には、わずかな半径の円弧などによる弧状の切欠き部８をそれぞれ形成しており、この切り目終端部に応力が集中しないようにして、第１の切り目５および第２の切り目６の強度を維持し、これ以上切り目が進行し、表示片本体２の破断に至らないようにしている。
【００２８】
こうした構成の園芸品用表示片１を植木の枝その他の園芸品に取り付ける操作を説明する。
図５は、取付け領域部３の部分をたとえば植木の枝Ｐに巻き付けるように弧状に折り曲げて第１の切り目５を第２の切り目６の上方に位置させた斜視図、図６は、第１の切り目５と第２の切り目６とを係合させ、植木の枝Ｐに園芸品用表示片１を取り付けた状態を示す斜視図である。
まず、図５に示すように、取付け領域部３を植木の枝Ｐに巻き付けるように、すなわち取付け領域部３の部分を弧状に折り曲げて第１の切り目５を第２の切り目６の上方に位置させ、第１の切り目５を第２の切り目６のいずれかに上方から互いに係合して組み合わせることができるようにする。
すなわち、図６に示すように、第１の切り目５の切り目開始部５Ａを第２の切り目６の切り目開始部６Ａに合せて第１の切り目５の取付け領域部３部分を第２の切り目６側に押しこむと、それぞれの不連続部７が破断して第１の切り目５および第２の切り目６を互いに係合させることができ、この係合により、断面円弧状の取付け輪部９を形成し、この取付け輪部９において園芸品用表示片１を植木の枝Ｐに取り付けることができる。
【００２９】
なお、取付け対象となる植木の枝Ｐの大きさ（直径）に応じて複数本の第２の切り目６における任意の部位の第２の切り目６を選択することにより、第１の切り目５と第２の切り目６との間の間隔Ｄを円周とする円に相当する取付け輪部９の直径を調整することができる。
【００３０】
かくして、第１の切り目５を第２の切り目６に差し込むように係合させる操作だけで取付け輪部９を形成し、園芸品用表示片１全体を植木の枝Ｐに取り付けることができるもので、粘着剤層を裏面全面に塗布する必要もなく、剥離紙も不要であって、コストを低く抑えることができるとともに、取扱いも便利である。
【００３１】
つぎに本発明の第２の実施例による園芸品用表示片１０を図７ないし図１１にもとづき説明する。
図７は、園芸品用表示片１０の平面図、図８は、同、裏面図、図９は、図７のＩＸ−ＩＸ線断面図である。
園芸品用表示片１０は、基本的構成自体は、上述の園芸品用表示片１と同様であるが、異なる構成としては、図８および図９に示すように、取付け領域部３の一部（たとえば、その自由端部３Ａ、図１０、図１１も参照）に、粘着剤層１１およびこの粘着剤層１１に仮着した剥離紙１２を追加的に有することである。
【００３２】
粘着剤層１１は、表示片本体２における異なる二ヶ所を貼り付けることにより第１の切り目５および第２の切り目６の係合状態を維持可能な部位にこれを設ければよいもので、図示の例では、剥離紙１２を剥がすことにより、粘着剤層１１の部分で取付け領域部３の自由端部３Ａを取付け輪部９側に固定することができる。
【００３３】
こうした構成の園芸品用表示片１０を植木の枝Ｐその他の園芸品に取り付ける操作も既述の園芸品用表示片１の場合と同様である。
すなわち、図１０は、取付け領域部３の部分を植木の枝Ｐに巻き付けるように弧状に折り曲げて第１の切り目５を第２の切り目６の上方に位置させた斜視図、図１１は、第１の切り目５と第２の切り目６とを係合させ、さらに粘着剤層１１により取付け領域部３の自由端部３Ａを取付け輪部９に貼り付けた状態を示す斜視図である。
【００３４】
図１０に示すように、第１の切り目５と第２の切り目６との係合を完了したのち、剥離紙１２を粘着剤層１１から剥がして粘着剤層１１を露出させ、この粘着剤層１１の部分を、図１１に示すように取付け輪部９に貼り付けることにより、取付け領域部３の自由端部３Ａを固定し、第１の切り目５および第２の切り目６の組み合わせ状態が解除しないようにすることができる。
【００３５】
かくして、園芸品用表示片１（第１の実施例、図１）の場合と同様に、取扱いおよび取付け操作が容易であるとともに、わずかな面積の粘着剤層１１により取付け領域部３を取付け輪部９に貼り付けて、取付け輪部９による園芸品用表示片１０の取付け状態を簡単に確実なものとすることができる。
【００３６】
上記粘着剤層１１の形成部位は、任意であって、第１の切り目５および第２の切り目６の組み合わせ状態が解除しないようにすることができれば、取付け領域部３の任意の部位あるいは表示片本体２の表裏面いずれであってもよく、たとえば表示片本体２の表面側に粘着剤層１１を設ければ、自由端部３Ａを表示領域部４側に貼り付けることができる。
さらに、表示領域部４側に粘着剤層１１を設けることもできる。
【００３７】
なお本発明においては、図７に仮想線で示すように、第１の切り目および第２の切り目は、表示片本体２の縁部２Ａ、２Ｂから所定の傾斜角度で斜め方向にこれを形成して、第１の切り目と第２の切り目との係合操作の際に操作しやすい傾斜角度を選択することもできるし、表示片本体２の幅方向における取付け輪部９の直径をわずかづつ変化させることもできる。
さらに、この構成の場合には、第１の切り目５および第２の切り目６の組み合わせ状態が解除しないようにする粘着剤層１１を設けることは有効である。
【００３８】
また本発明においては、取付け領域部３を表示片本体２の中心部に位置させ、その左右側に一対の領域として表示領域部４を設けることもできる。
また、既述のように、表示領域部４には、任意のプリンターにより印字が可能であり、本発明による園芸品用表示片は、表示片本体２が複数枚連続してロール状の形態を採ることが可能であり、タグあるいはラベルとしてこれを構成することもできる。
【図面の簡単な説明】
【００３９】
【図１】本発明の第１の実施例による園芸品用表示片１の平面図である。
【図２】同、図１のＩＩ−ＩＩ線断面図である。
【図３】同、図１のＩＩＩ−ＩＩＩ線断面図である。
【図４】同、図１のＩＶ−ＩＶ線断面図である。
【図５】同、取付け領域部３の部分を植木の枝Ｐに巻き付けるように弧状に折り曲げて第１の切り目５を第２の切り目６の上方に位置させた斜視図である。
【図６】同、第１の切り目５と第２の切り目６とを係合させ、植木の枝Ｐに園芸品用表示片１を取り付けた状態を示す斜視図である。
【図７】本発明の第２の実施例による園芸品用表示片１０の平面図である。
【図８】同、裏面図である。
【図９】同、図７のＩＸ−ＩＸ線断面図である。
【図１０】同、取付け領域部３の部分を植木の枝Ｐに巻き付けるように弧状に折り曲げて第１の切り目５を第２の切り目６の上方に位置させた斜視図である。
【図１１】同、第１の切り目５と第２の切り目６とを係合させ、さらに粘着剤層１１により取付け領域部３の自由端部を表示領域部４に貼り付けた状態を示す斜視図である。
【符号の説明】
【００４０】
１  園芸品用表示片（第１の実施例、図１）
２  表示片本体
２Ａ  表示片本体２の一方の縁部（下側の縁部）
２Ｂ  表示片本体２の他方の縁部（上側の縁部）
３  取付け領域部
３Ａ  取付け領域部３の自由端部（図１０、図１１）
４  表示領域部
５  第１の切り目（下スリット）
５Ａ  第１の切り目５の切り目開始部（最外部）
６  第２の切り目（複数本の上スリット）
６Ａ  第２の切り目６の切り目開始部（最外部）
７  もろい不連続部（点留め部）
８  弧状の切欠き部（切り目終端部、最奥部）
９  取付け輪部（図６、図１０、図１１）
１０  園芸品用表示片（第２の実施例、図７）
１１  粘着剤層
１２  剥離紙
Ｄ    第１の切り目５と第２の切り目６との間の間隔（図１、図７）
Ｐ    植木の枝（園芸品の部分）
Ｗ    表示片本体２の幅（図１、図７）
【図１】
2008070524.tif 000003
【図２】
2008070524.tif 000004
【図３】
2008070524.tif 000005
【図４】
2008070524.tif 000006
【図５】
2008070524.tif 000007
【図６】
2008070524.tif 000008
【図７】
2008070524.tif 000009
【図８】
2008070524.tif 000010
【図９】
2008070524.tif 000011
【図１０】
2008070524.tif 000012
【図１１】
2008070524.tif 000013